【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
個別に発光輝度を制御可能な複数の光源を有する発光手段と、
順に入力される複数のフレームの各フレームに基づいて、前記発光手段からの光を変調することで画面上に画像を表示する表示手段と、
前記複数の光源のそれぞれに対応する画面の領域に表示される各フレームの部分画像の明るさに応じて、各光源の発光輝度を制御する制御手段と、
を備え、
前記制御手段は、前記複数のフレームのうち第１フレームと前記第１フレームより時間的に後に表示される第２フレームとの間で所定の高輝度オブジェクトが移動した場合、前記第２フレームにおいて前記第１フレームより明るい部分画像が表示される領域に対応する光源の発光輝度の前記第１フレームの当該光源の発光輝度からの変化が抑制されるように、各光源の発光輝度を制御することを特徴とする画像表示装置。
【請求項２】
前記制御手段は、前記第１フレームと前記第２フレームとの間で前記所定の高輝度オブジェクトが移動した場合、前記第２フレームにおいて前記第１フレームより明るい部分画像が表示される領域に対応する光源の発光輝度の前記第１フレームの当該光源の発光輝度からの変化が、前記第１フレームと前記第２フレームとの間で前記所定の高輝度オブジェクトが移動していない場合に比べて抑制されるように、各光源の発光輝度を制御することを特徴とする請求項１に記載の画像表示装置。
【請求項３】
前記制御手段は、前記第１フレームと前記第２フレームとの間で前記所定の高輝度オブジェクトが移動した場合、前記第２フレームにおいて前記第１フレームより明るい部分画像が表示される領域に対応する光源の発光輝度を、前記第１フレームの当該領域の部分画像の明るさに応じた発光輝度とする請求項１又は２に記載の画像表示装置。
【請求項４】
前記制御手段は、前記第１フレームと前記第２フレームとの間で前記所定の高輝度オブジェクトが移動した場合、前記第２フレームにおいて前記第１フレームより暗い部分画像が表示される領域に対応する光源の発光輝度を、前記第２フレームの当該領域の部分画像の明るさに応じた発光輝度とする請求項１から請求項３のいずれか１項に記載の画像表示装置。
【請求項５】
各光源の発光輝度を決定するために前記制御手段が用いた各光源に対応する領域の部分画像の明るさの情報を記憶する記憶手段を更に備え、
前記制御手段は、前記第１フレームと前記第２フレームとの間で前記所定の高輝度オブジェクトが移動した場合、前記第２フレームの各領域の部分画像の明るさと、前記記憶手段に記憶されている前記第１フレームの各領域の部分画像の明るさとを比較し、比較の結果、前記第２フレームにおいて前記第１フレームより明るい部分画像が表示される領域に対応する光源の発光輝度を、前記記憶手段に記憶されている前記第１フレームの当該領域の部分画像の明るさに応じて決定する請求項１から請求項４のいずれか１項に記載の画像表示装置。
【請求項６】
前記制御手段は、比較の結果、前記第２フレームにおいて前記第１フレームより暗い部分画像が表示される領域に対応する光源の発光輝度を、前記第２フレームの当該領域の部分画像の明るさに応じて決定する請求項５に記載の画像表示装置。
【請求項７】
各光源の発光輝度の情報を記憶する記憶手段を更に備え、
前記制御手段は、前記第１フレームと前記第２フレームとの間で前記所定の高輝度オブジェクトが移動した場合、前記第２フレームの各領域の部分画像の明るさに応じて求めた各領域に対応する光源の発光輝度と、前記記憶手段に記憶されている前記第１フレームの画像の表示に適用された各光源の発光輝度とを比較し、前記第２フレームにおいて前記第１フレームより発光輝度が高い光源については、前記記憶手段に記憶されている前記第１フレームの発光輝度を適用する請求項１から請求項４のいずれか１項に記載の画像表示装置。
【請求項８】
前記制御手段は、比較の結果、前記第２フレームにおいて前記第１フレームより発光輝度が低い光源については、前記第２フレームの各領域の部分画像の明るさに応じて求めた発光輝度を適用する請求項７に記載の画像表示装置。
【請求項９】
前記制御手段は、前記第１フレームと前記第２フレームとの間で前記所定の高輝度オブジェクトが移動した場合、前記第２フレームにおいて前記第１フレームより明るい部分画像が表示される領域に対応する光源の発光輝度を、前記第１フレームの当該領域の部分画像の明るさと前記第１フレームにおける当該領域の部分画像の明るさとを平均した明るさに応じた発光輝度とする請求項１から請求項８のいずれか１項に記載の画像表示装置。
【請求項１０】
前記制御手段は、前記第１フレームの画像と前記第２フレームの画像とで輝度が異なる画素数が閾値以下の場合に、前記第１フレームと前記第２フレームとの間で前記所定の高輝度オブジェクトが移動したと判定する請求項１から請求項９のいずれか１項に記載の画像表示装置。
【請求項１１】
前記制御手段は、前記所定の高輝度オブジェクトがとり得る形状と合致する形状のオブジェクトが前記第１フレームと前記第２フレームとに存在し、且つ、当該高輝度オブジェクトの位置が前記第１フレームと前記第２フレームとで異なり、且つ、入力画像が静止画像である場合に、前記第１フレームと前記第２フレームとの間で前記所定の高輝度オブジェクトが移動したと判定する請求項１から請求項９のいずれか１項に記載の画像表示装置。
【請求項１２】
前記制御手段は、入力画像が動画像である場合、各領域に対応する光源の発光輝度を、前記第２フレームの各領域の部分画像の明るさに応じた発光輝度とする請求項１から請求項１１のいずれか１項に記載の画像表示装置。
【請求項１３】
前記制御手段は、前記第２フレームの画像に前記所定の高輝度オブジェクトが存在しな
い場合、各領域に対応する光源の発光輝度を、前記第２フレームの各領域の部分画像の明るさに応じた発光輝度とする請求項１から請求項１２のいずれか１項に記載の画像表示装置。
【請求項１４】
前記制御手段は、前記第１フレームと前記第２フレームとで画像に変化がない場合、各領域に対応する光源の発光輝度の前記第１フレームにおける発光輝度からの変化を抑制する請求項１から請求項１３のいずれか１項に記載の画像表示装置。
【請求項１５】
前記制御手段は、前記所定の高輝度オブジェクトがとり得る形状と合致する形状のオブジェクトが前記第１フレームと前記第２フレームとに存在し、且つ、当該高輝度オブジェクトの位置が前記第１フレームと前記第２フレームとで変化しておらず、且つ、入力画像が静止画像である場合、各領域に対応する光源の発光輝度の前記第１フレームの当該光源の発光輝度からの変化を抑制する請求項１から請求項１４のいずれか１項に記載の画像表示装置。
【請求項１６】
前記制御手段は、前記第２フレームについて前記高輝度オブジェクトが移動するシーンであるか否かを判定し、前記高輝度オブジェクトが移動するシーンであると判定した場合、前記第２フレームにおける前記高輝度オブジェクトの移動先の領域を検出し、前記高輝度オブジェクトの移動先の領域に対応する光源について、それ以外の領域に対応する光源よりも、単位時間あたりの発光輝度の変化量が小さくなるように、発光輝度を制御する請求項１に記載の画像表示装置。
【請求項１７】
前記制御手段は、前記第１フレームから前記第２フレームへの各部分画像が表示される領域の明るさの変化量に応じて、当該領域に対応する光源の発光輝度の変化量を制御するものであり、前記第２フレームにおける前記高輝度オブジェクトの移動先の領域に対応する光源について、それ以外の領域に対応する光源よりも、部分画像の明るさの変化量に対する発光輝度の変化量の比率を小さくする請求項１６に記載の画像表示装置。
【請求項１８】
前記制御手段は、前記第２フレームの各部分画像の明るさに応じて求めた発光輝度と、前記第１フレームの各部分画像の表示に適用された発光輝度と、の差分に係数を乗じた値を、前記第１フレームの各部分画像の表示に適用された発光輝度に加算することで、前記第２フレームの各部分画像の表示に適用する発光輝度を決定するものであり、前記高輝度オブジェクトの移動先の領域に対応する光源の発光輝度の決定に用いられる係数βと、それ以外の領域に対応する光源の発光輝度の決定に用いられる係数αとは、β＜＜αの関係を満たす請求項１６又は請求項１７に記載の画像表示装置。
【請求項１９】
個別に発光輝度を制御可能な複数の光源を有する発光手段と、
順に入力される複数のフレームの各フレームに基づいて、前記発光手段からの光を変調することで画面上に画像を表示する表示手段と、
を備えた画像表示装置の制御方法であって、
前記複数の光源のそれぞれに対応する画面の領域に表示される各フレームの部分画像の明るさに応じて、各光源の発光輝度を制御する工程と、
前記複数のフレームのうち第１フレームと前記第１フレームより時間的に後に表示される第２フレームとの間で所定の高輝度オブジェクトが移動した場合、前記第２フレームにおいて前記第１フレームより明るい部分画像が表示される領域に対応する光源の発光輝度の前記第１フレームの当該光源の発光輝度からの変化が抑制されるように、各光源の発光輝度を制御する工程と、
を有することを特徴とする画像表示装置の制御方法。
【請求項２０】
個別に発光を制御可能な複数の光源と、
表示フレームに基づいて、前記複数の光源からの光を変調して画像を表示する表示手段と、
各光源に対応する前記表示フレームの領域の明るさに基づいて、各光源の発光を制御する制御手段と、
を備え、
前記制御手段は、各光源を、前記表示フレームの前に表示された前フレームにおける各光源の発光輝度と、各光源に対応する領域の前記表示フレームにおける明るさと前記前フレームにおける明るさとの差に係数を用いて算出した値と、に基づく発光輝度で制御し、
前記表示フレームと前記前フレームとの間で所定の高輝度オブジェクトが移動した場合に、前記表示フレームにおいて前記所定の高輝度オブジェクトを含む領域に対応する光源の発光輝度を制御するための係数は、前記表示フレームにおいて前記所定の高輝度オブジェクトを含まない領域に対応する光源の発光輝度を制御するための係数よりも小さいことを特徴とする画像表示装置。
【請求項２１】
個別に発光を制御可能な複数の光源と、
表示フレームに基づいて、前記複数の光源からの光を変調して画像を表示する表示手段と、
を備える画像表示装置の制御方法であって、
各光源に対応する前記表示フレームの領域の明るさに基づいて、各光源の発光を制御する工程と、
各光源を、前記表示フレームの前に表示された前フレームにおける各光源の発光輝度と、各光源に対応する領域の前記表示フレームにおける明るさと前記前フレームにおける明るさとの差に係数を用いて算出した値と、に基づく発光輝度で制御する工程と、
を有し、
前記表示フレームと前記前フレームとの間で所定の高輝度オブジェクトが移動した場合に、前記表示フレームにおいて前記所定の高輝度オブジェクトを含む領域に対応する光源の発光輝度を制御するための係数は、前記表示フレームにおいて前記所定の高輝度オブジェクトを含まない領域に対応する光源の発光輝度を制御するための係数よりも小さいことを特徴とする画像表示装置の制御方法。
【請求項２２】
前記所定の高輝度オブジェクトは、ユーザ操作を補助するためのオブジェクトであることを特徴とする請求項１から請求項１８、２０のいずれか１項に記載の画像表示装置。
【請求項２３】
前記所定の高輝度オブジェクトは、カーソルであることを特徴とする請求項２２に記載の画像表示装置。
【請求項２４】
前記所定の高輝度オブジェクトは、白画素を含むオブジェクトであることを特徴とする請求項１から請求項１８、２０、２２、２３のいずれか１項に記載の画像表示装置。
【手続補正２】
【補正対象書類名】明細書
【補正対象項目名】０００６
【補正方法】変更
【補正の内容】
【０００６】
本発明は、個別に発光輝度を制御可能な複数の光源を有する発光手段と、
順に入力される複数のフレームの各フレームに基づいて、前記発光手段からの光を変調することで画面上に画像を表示する表示手段と、
前記複数の光源のそれぞれに対応する画面の領域に表示される各フレームの部分画像の明るさに応じて、各光源の発光輝度を制御する制御手段と、
を備え、
前記制御手段は、前記複数のフレームのうち第１フレームと前記第１フレームより時間的に後に表示される第２フレームとの間で所定の高輝度オブジェクトが移動した場合、前記第２フレームにおいて前記第１フレームより明るい部分画像が表示される領域に対応する光源の発光輝度の前記第１フレームの当該光源の発光輝度からの変化が抑制されるように、各光源の発光輝度を制御することを特徴とする画像表示装置である。
また、本発明は、個別に発光を制御可能な複数の光源と、
表示フレームに基づいて、前記複数の光源からの光を変調して画像を表示する表示手段と、
各光源に対応する前記表示フレームの領域の明るさに基づいて、各光源の発光を制御する制御手段と、
を備え、
前記制御手段は、各光源を、前記表示フレームの前に表示された前フレームにおける各光源の発光輝度と、各光源に対応する領域の前記表示フレームにおける明るさと前記前フレームにおける明るさとの差に係数を用いて算出した値と、に基づく発光輝度で制御し、
前記表示フレームと前記前フレームとの間で所定の高輝度オブジェクトが移動した場合に、前記表示フレームにおいて前記所定の高輝度オブジェクトを含む領域に対応する光源の発光輝度を制御するための係数は、前記表示フレームにおいて前記所定の高輝度オブジェクトを含まない領域に対応する光源の発光輝度を制御するための係数よりも小さいことを特徴とする画像表示装置である。
【手続補正３】
【補正対象書類名】明細書
【補正対象項目名】０００７
【補正方法】変更
【補正の内容】
【０００７】
本発明は、個別に発光輝度を制御可能な複数の光源を有する発光手段と、
順に入力される複数のフレームの各フレームに基づいて、前記発光手段からの光を変調することで画面上に画像を表示する表示手段と、
を備えた画像表示装置の制御方法であって、
前記複数の光源のそれぞれに対応する画面の領域に表示される各フレームの部分画像の明るさに応じて、各光源の発光輝度を制御する工程と、
前記複数のフレームのうち第１フレームと前記第１フレームより時間的に後に表示される第２フレームとの間で所定の高輝度オブジェクトが移動した場合、前記第２フレームにおいて前記第１フレームより明るい部分画像が表示される領域に対応する光源の発光輝度の前記第１フレームの当該光源の発光輝度からの変化が抑制されるように、各光源の発光輝度を制御する工程と、
を有することを特徴とする画像表示装置の制御方法である。
また、本発明は、個別に発光を制御可能な複数の光源と、
表示フレームに基づいて、前記複数の光源からの光を変調して画像を表示する表示手段と、
を備える画像表示装置の制御方法であって、
各光源に対応する前記表示フレームの領域の明るさに基づいて、各光源の発光を制御する工程と、
各光源を、前記表示フレームの前に表示された前フレームにおける各光源の発光輝度と、各光源に対応する領域の前記表示フレームにおける明るさと前記前フレームにおける明るさとの差に係数を用いて算出した値と、に基づく発光輝度で制御する工程と、
を有し、
前記表示フレームと前記前フレームとの間で所定の高輝度オブジェクトが移動した場合に、前記表示フレームにおいて前記所定の高輝度オブジェクトを含む領域に対応する光源の発光輝度を制御するための係数は、前記表示フレームにおいて前記所定の高輝度オブジ
ェクトを含まない領域に対応する光源の発光輝度を制御するための係数よりも小さいことを特徴とする画像表示装置の制御方法である。